(57)【要約】【課題】  歯根、歯茎内及び歯と歯茎間等の隠れた部分における歯周菌を殺菌することが可能で、歯周病の発生を確実に予防及び防止することができる歯槽膿漏等歯周病防止具の提供。【解決手段】  柔本体部１が上下に歯及び歯茎に被さる深さを有する装着溝１１、１１が形成された断面略Ｈ型のマウスピース状に形成され、両装着溝１１、１１における前後両側壁１２、１３の先端側には歯茎への当接部となる可撓性を有するブラシの毛状に形成された第１金属２と第２金属３とが内向きに突出する状態で備えられている。【選択図】        図２
2007125098.tif 000002
【特許請求の範囲】
【請求項１】
歯茎の表裏両面に同時に当接可能な当接部を備えた本体部と、
前記両当接部には表裏の当接部で互いに電位の異なる異種金属が非接触状態でそれぞれ備えられていることを特徴とする歯槽膿漏等歯周病防止具。
【請求項２】
前記本体部がマウスピース状に形成されていることを特徴とする請求項１に記載の歯槽膿漏等歯周病防止具。
【請求項３】
前記本体部が枝体の先端に設けられていること特徴とする請求項１に記載の歯槽膿漏等歯周病防止具。
【請求項４】
前記異種金属が可撓性を有するブラシの毛状に形成されていることを特徴とする請求項１〜３のいずれか１項に記載の歯槽膿漏等歯周病防止具。
【請求項５】
前記歯茎の表裏両面に同時に当接可能な当接部に吸水性弾性体が備えられ、該吸水性弾性体の表面に前記異種金属が備えられていることを特徴とする請求項１〜３のいずれか１項に記載の歯槽膿漏等歯周病防止具。
【請求項６】
前記異種金属の表面に吸水性弾性体が備えられていることを特徴とする請求項１〜３のいずれか１項に記載の歯槽膿漏等歯周病防止具。
【請求項７】
前記異種金属の一方が炭素で構成されていること特徴とする請求項１〜６のいずれか１項に記載の歯槽膿漏等歯周病防止具。
【発明の詳細な説明】
【技術分野】
【０００１】
本発明は、歯槽膿漏等歯周病防止具に関する。
【背景技術】
【０００２】
従来の歯槽膿漏等歯周病防止具としては、例えば、歯周菌殺菌作用を有するプロポリス入りの練り歯磨きが知られている。（例えば、特許文献１参照）・・従来例１。
【０００３】
また、歯磨きの際に枝体の先端から発生させたイオンで口内の歯周菌を殺菌する光電池イオン歯ブラシも知られている（例えば、特許文献２参照）・・従来例２
【特許文献１】特開２００５−０８２５９２号公報
【特許文献２】特開２００４−３２１７６５号公報
【発明の開示】
【発明が解決しようとする課題】
【０００４】
しかしながら、上述の従来例１、２にあっては、いずれの場合も口内に露出した歯や歯茎の表面部分の殺菌は可能であるが、歯根、歯茎内及び歯と歯茎間等の隠れた部分における歯周菌を殺菌することができないため、歯周病予防及び防止効果が極めて薄いという問題があった。
【０００５】
本発明は、上述のような従来の問題点に着目して成されたもので、歯根、歯茎内及び歯と歯茎間等の隠れた部分における歯周菌を殺菌することが可能で、歯周病の発生を確実に予防及び防止することができる歯槽膿漏等歯周病防止具を提供することを目的としている。
【課題を解決するための手段】
【０００６】
上述の目的を達成するために、本願請求項１に記載の歯槽膿漏等歯周病防止具は、歯茎の表裏両面に同時に当接可能な当接部を備えた本体部と、前記両当接部には表裏の当接部で互いに電位の異なる異種金属が非接触状態でそれぞれ備えられていることを特徴とする手段とした。
【０００７】
本願請求項２に記載の歯槽膿漏等歯周病防止具は、請求項１に記載の歯槽膿漏等歯周病防止具において、前記本体部がマウスピース状に形成されていることを特徴とする手段とした。
【０００８】
本願請求項３に記載の歯槽膿漏等歯周病防止具は、請求項１に記載の歯槽膿漏等歯周病防止具において、前記本体部が枝体の先端に設けられていること特徴とする手段とした。
【０００９】
本願請求項４に記載の歯槽膿漏等歯周病防止具は、請求項１〜３のいずれか１項に記載の歯槽膿漏等歯周病防止具において、前記異種金属が可撓性を有するブラシの毛状に形成されていること特徴とする手段とした。
【００１０】
本願請求項５に記載の歯槽膿漏等歯周病防止具は、請求項１〜３のいずれか１項に記載の歯槽膿漏等歯周病防止具において、前記歯茎の表裏両面に同時に当接可能な当接部に吸水性弾性体が備えられ、該吸水性弾性体の表面に前記異種金属が備えられていること特徴とする手段とした。
【００１１】
本願請求項６に記載の歯槽膿漏等歯周病防止具は、請求項１〜３のいずれか１項に記載の歯槽膿漏等歯周病防止具において、前記異種金属の表面に吸水性弾性体が備えられていることを特徴とする手段とした。
【００１２】
本願請求項７に記載の歯槽膿漏等歯周病防止具は、請求項１〜６のいずれか１項に記載の歯槽膿漏等歯周病防止具において、前記異種金属の一方が炭素で構成されていること特徴とする手段とした。
【発明の効果】
【００１３】
請求項１に記載の歯槽膿漏等歯周病防止具では、上述のように、歯茎の表裏両面に同時に当接可能な当接部を備えた本体部と、両当接部には表裏の当接部で互いに電位の異なる異種金属が非接触状態でそれぞれ備えられている構成としたことで、両異種金属を歯茎の表裏両面に当接させることにより、主に歯茎や唾液を導電体として異種金属間に電池が形成され、歯茎及び歯根内に電流が流れる。
【００１４】
従って、歯根、歯茎内及び歯と歯茎間等の隠れた部分における歯周菌を異種金属間に形成される電池の起電力で電気殺菌することができ、これにより、歯周病の発生を確実に予防及び防止することができるようになるという効果が得られる。
【００１５】
本願請求項２に記載の歯槽膿漏等歯周病防止具では、上述のように、前記本体部がマウスピース状に形成されることにより、歯に対する装着が容易であり、所定時間だけ歯に装着しておくだけで、歯周病を簡単に予防及び防止することができるようになる。
【００１６】
本願請求項３に記載の歯槽膿漏等歯周病防止具では、上述のように、前記本体部が枝体の先端に設けられている構成とすることにより、歯ブラシ感覚で本体部を歯に装着させ、歯茎の表裏両面に異種金属を当接させた状態にすることができるようになる。
【００１７】
本願請求項４に記載の歯槽膿漏等歯周病防止具では、上述のように、前記異種金属が可撓性を有するブラシの毛状に形成されることにより、歯茎の凹凸に沿って両異種金属を歯茎の表裏両面に確実に当接させることができるようになる。
【００１８】
本願請求項５に記載の歯槽膿漏等歯周病防止具では、上述のように、歯茎の表裏両面に同時に当接可能な当接部に吸水性弾性体が備えられ、該吸水性弾性体の表面に前記異種金属が備えられている構成とすることにより、吸水性弾性体の弾性で歯茎の凹凸に沿って両異種金属を歯茎の表裏両面に確実に当接させることができるため、吸水性弾性体に水を含ませることにより、両異種金属間の通電性が確保され、これにより、歯茎及び歯根内に確実に電気を流すことができるようになる。
【００１９】
本願請求項６に記載の歯槽膿漏等歯周病防止具では、上述のように、異種金属の表面に吸水性弾性体が備えられている構成とすることにより、吸水性弾性体に水を含ませることで、吸水性弾性体をその弾性で歯茎の凹凸に沿って歯茎の表裏両面に確実に当接させることができるため、両異種金属間の通電性が確保され、これにより、歯茎及び歯根内に確実に電気を流すことができるようになる。
【００２０】
本願請求項７に記載の歯槽膿漏等歯周病防止具では、上述のように、前記異種金属の一方が金属の中でも標準電極電位が高い炭素で構成されることにより、電池の起電力を高めることができ、これにより、殺菌力を高めることができるようになる。
【発明を実施するための最良の形態】
【００２１】
以下に、本発明の実施例を図面に基づいて説明する。
【実施例１】
【００２２】
図１はこの実施例１の歯槽膿漏等歯周病防止具を示す平面図、図２は図１のＡ−Ａ線における端面図である。
【００２３】
この実施例１の歯槽膿漏等歯周病防止具は、柔軟な弾性素材よりなる本体部１がマウスピース状に形成されている。
即ち、本体部１は、図２の端面図に示すように、上下に歯及び歯茎に被さる深さを有する装着溝１１、１１が形成された断面略Ｈ型に形成されている。
【００２４】
また、両装着溝１１、１１における前後両側壁１２、１３の先端側には歯茎への当接部となる可撓性を有するブラシの毛状に形成された第１金属２と第２金属３とが内向きに突出する状態で備えられている。
【００２５】
この第１金属２と第２金属３は、標準電極電位が互いに異なる異種金属で構成されるもので、この実施例では、第１金属２が標準電極電位の高い銀（Ａｇ）で構成される一方、第２金属３が第１金属２よりは標準電極電位の低いチタン（Ｔｉ）で構成されていて、互いに非接触状態で備えられている。
【００２６】
なお、この実施例１では、前記第１金属２と第２金属３は、合成樹脂等よりなる毛本体の表面にメッキされた状態で備えられている。
【００２７】
次に、実施例１の作用・効果について説明する。
【００２８】
この実施例１の歯槽膿漏等歯周病防止具では、上述のように構成されるため、マウスピースを装着する要領で、マウスピース状に形成された本体部１の上下両装着溝１１、１１内に上下の歯を差し込んで本体部１を噛むことにより、ブラシの毛状に形成された第１金属２と第２金属３とが歯茎の表裏各面に当接した状態になる。
【００２９】
すると、主に歯茎や唾液を導電体として第１金属２と第２金属３との間に１．５〜２Ｖの起電力を発生する電池が形成され、歯茎及び歯根内に電流が流れる。
【００３０】
従って、歯根、歯茎内及び歯と歯茎間等の隠れた部分における歯周菌を標準電極電位が大きく異なる異種金属である第１金属２と第２金属３間に形成される電池の起電力（１．１〜２Ｖ）で電気殺菌することができ、これにより、歯周病の発生を確実に予防及び防止することができるようになるという効果が得られる。
【００３１】
また、本体部１がマウスピース状に形成されることにより、歯に対する装着が容易であり、所定時間だけ歯に装着しておくだけで、歯周病を簡単に予防及び防止することができるようになる。
【００３２】
また、前記第１金属２と第２金属３が可撓性を有するブラシの毛状に形成されることにより、歯茎の凹凸に沿って両異種金属を歯茎の表裏両面に確実に当接させることができるようになる。
【００３３】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００３４】
この実施例２は、前記実施例１における歯槽膿漏等歯周病防止具の変形例を示すものであり、図３の平面図、及び図４の側面図に示すように、本体部１の長さが歯の全体ではなく、一部分にのみに被さるように短く形成されている点が、実施例１とは相違したものである。
【００３５】
従って、この実施例２では、特に歯周病の虞がある部分のみを集中的にかつ簡易に使用することができるという効果が得られる。
【実施例３】
【００３６】
この実施例３は、前記実施例１における歯槽膿漏等歯周病防止具の変形例を示すものであり、図５（平面図）、及び図６（図５のＢ−Ｂ線における端面図）に示すように、歯茎の表裏両面に同時に当接可能な当接部に吸水性弾性体４、４が備えられ、該吸水性弾性体４、４の表面に前記第１金属２と、第２金属３がそれぞれメッキされ、又はテープ状のものが貼り付けられた状態で備えられている点が、前記実施例１とは相違したものである。
【００３７】
従って、この実施例３では、吸水性弾性体４、４の弾性で歯茎の凹凸に沿って第１金属２及び第２種金属３を歯茎の表裏両面に確実に当接させることができるため、吸水性弾性体４、４に水を含ませることにより、第１金属２と第２種金属３間の通電性が確保され、これにより、前記実施例１と同様に、歯茎及び歯根内に確実に電気を流すことができるようになる。
【実施例４】
【００３８】
この実施例４は、前記実施例２における歯槽膿漏等歯周病防止具の変形例を示すものであり、図７の平面図、及び図８の側面図に示すように、本体部１の長さが歯の全体ではなく、一部に被さるように短く形成されている点が、実施例３とは相違したものである。
【００３９】
従って、この実施例４では、実施例２と同様に、特に歯周病の虞がある部分のみを集中的にかつ簡易に使用することができるという効果が得られる。
【００４０】
以上、本発明の実施例を図面に基づき説明してきたが、本発明は上述の実施例に限られるものではなく、本発明の要旨を逸脱しない範囲の設計変更等があっても、本発明に含まれる。
【００４１】
例えば、実施例３、４では、歯茎の表裏両面に同時に当接可能な当接部に吸水性弾性体４、４が備えられ、該吸水性弾性体４、４の表面に前記第１金属２と、第２金属３がそれぞれメッキされ、又はテープ状のものが貼り付けられた状態で備えられている構成としたが、第１金属２及び第２金属３と吸水性弾性体４、４との位置関係を逆にし、第１金属２と、第２金属３の表面に吸水性弾性体４、４が備えられている構成とすることにより、吸水性弾性体４、４に水を含ませることで、吸水性弾性体４、４をその弾性で歯茎の凹凸に沿って歯茎の表裏両面に確実に当接させることができるため、両異種金属間の通電性が確保され、これにより、歯茎及び歯根内に確実に電気を流すことができるようになる。
【００４２】
また、実施例では、第１金属２が標準電極電位の高い銀（Ａｇ）で構成される一方、第２金属３が第１金属２よりは標準電極電位の低いチタン（Ｔｉ）で構成された例を示したが、標準電極電位差が大きくなる組み合わせであれば金属の種類は任意である。
【００４３】
例えば、標準電極電位の高い第１金属２として、金（Ａｕ）、パラジウム（Ｐｄ）、白金（Ｐｔ）、炭素（Ｃ）を、また、標準電極電位の低い第２金属３として、マグネシウム（Ｍｇ）、等を用いることができる。特に、第１金属２として金属の中でも標準電極電位が高い炭素（Ｃ）を用いることにより、電池の起電力を高めることができ、これにより、殺菌力を高めることができるようになる。
【００４４】
また、実施例では本体部１の上下両面に装着溝１１、１１が形成された例を示したが、一方のみでもよく、そうすることで、装着した状態で口を自由に開けることができるようになる。
【００４５】
また、第１金属２及び第２金属３は、歯茎に対する当接部に超薄金属板や長い線を貼って備えたり、微細金属粒を沢山付着させて備える等して、歯茎に当接するようにしてもよい。
【００４６】
また、前記本体部１が枝体の先端に回動自在に設けられている構成とすることにより、歯ブラシ感覚で本体部１を歯に装着させ、歯茎の表裏両面に異種金属を当接させた状態にすることができるようになる。
【００４７】
なお、異種金属間の標準電極電位差を利用する本願は、水虫菌の殺菌に応用することができる。即ち、足先に装着可能な靴下状本体の内側の、上面側と下面側にそれぞれ第１金属２と第２金属３を備えた構造とし、この本体に水を含ませた状態で足先に装着することにより、爪水虫を含む水虫を予防及び防止できるようになる。
【図面の簡単な説明】
【００４８】
【図１】実施例１の歯槽膿漏等歯周病防止具を示す平面図である。
【図２】図１のＡ−Ａ線における端面図である。
【図３】実施例２の歯槽膿漏等歯周病防止具を示す平面図である。
【図４】実施例２の歯槽膿漏等歯周病防止具を示す側面図である。
【図５】実施例３の歯槽膿漏等歯周病防止具を示す平面図である。
【図６】図５のＢ−Ｂ線における端面図である。
【図７】実施例４の歯槽膿漏等歯周病防止具を示す平面図である。
【図８】実施例４の歯槽膿漏等歯周病防止具を示す側面図である。
【符号の説明】
【００４９】
１  本体部
１１  装着溝
１２  側壁
１３  側壁
２  第１金属
３  第２金属
４  吸水性弾性体
【図１】
2007125098.tif 000003
【図２】
2007125098.tif 000004
【図３】
2007125098.tif 000005
【図４】
2007125098.tif 000006
【図５】
2007125098.tif 000007
【図６】
2007125098.tif 000008
【図７】
2007125098.tif 000009
【図８】
2007125098.tif 000010